【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
撮像素子から繰り返し出力される被写体の画像を繰り返し可視化して表示させることが可能な表示手段を具備したカメラの制御方法であって、
前記被写体の輝度を検出する第１ステップと、
前記被写体の輝度から、所望の撮像出力を得るために前記撮像素子に照射される光量と前記撮像素子の感度を制御する露出制御値を演算する第２ステップと、
周期的なフリッカ検出の実行タイミングを待つ第３ステップと、
前記被写体の輝度変動が所定の値以上の第１条件のときに、かつ前記露出制御値が安定した第２条件のときに、前記フリッカ検出を実行する第４ステップと、
を含むことを特徴とするカメラの制御方法。
【請求項２】
撮像素子から繰り返し出力される被写体の画像を繰り返し可視化して表示させることが可能な表示手段を具備したカメラの制御方法であって、
前記被写体の輝度を検出する第１ステップと、
前記被写体の輝度から、所望の撮像出力を得るために前記撮像素子に照射される光量と前記撮像素子の感度を制御する露出制御値を演算する第２ステップと、
周期的なフリッカ検出の実行タイミングを待つ第３ステップと、
前記被写体の輝度変動が所定の値以上の第１条件が不成立のときに、時系列に連続して前記撮像素子から出力される複数の前記画像を合成して前記表示手段に表示しながら、前記フリッカ検出を実行する第４ステップと、
を含むことを特徴とするカメラの制御方法。
【請求項３】
請求項１から請求項２のいずれか１項に記載のカメラの制御方法において、
前記フリッカ検出は、当該フリッカ検出の実行時の前記撮像素子からの撮像出力レベルを維持しつつ、前記撮像素子に照射される光量を制御するためのシャッタ速度を変更して前記撮像素子の出力を取得し、前記シャッタ速度の変更の前後の前記撮像素子の出力を比較することで行われることを特徴とするカメラの制御方法。
【請求項４】
被写体からの光を検出する撮像素子と、
前記撮像素子の撮像出力を画像に変換する画像処理手段と、
前記画像を可視化して表示する表示手段と、
前記撮像出力から、前記被写体の被写体輝度を取得する輝度検出手段と、
前記被写体輝度から、所望の前記撮像出力を得るために前記撮像素子に照射される光量と前記撮像素子の感度に基づく露出制御値を制御する露出制御手段と、
前記被写体の輝度変動を判別する第１機能と、周期的なフリッカ検出の実行タイミングを待つ第２機能と、前記輝度変動が所定の値以上の第１条件のときに、かつ前記露出制御値が安定した第２条件のときに、前記フリッカ検出を実行する第３機能とを具備した制御手段と、
を具備することを特徴とするカメラ。
【請求項５】
被写体からの光を検出する撮像素子と、
前記撮像素子の撮像出力を画像に変換する画像処理手段と、
前記画像を可視化して表示する表示手段と、
前記撮像出力から、前記被写体の被写体輝度を取得する輝度検出手段と、
前記被写体輝度から、所望の前記撮像出力を得るために前記撮像素子に照射される光量と前記撮像素子の感度に基づく露出制御値を制御する露出制御手段と、
前記被写体の輝度変動を判別する第１機能と、周期的なフリッカ検出の実行タイミングを待つ第２機能と、前記輝度変動が所定の値以上の第１条件が不成立のときに、時系列に連続して前記撮像素子から出力される複数の前記画像を合成して前記表示手段に表示しながら、前記フリッカ検出を実行する第３機能とを具備した制御手段と、
を具備することを特徴とするカメラ。
【請求項６】
請求項４から請求項５のいずれか１項に記載のカメラにおいて、
前記フリッカ検出は、当該フリッカ検出の実行時の前記撮像素子からの撮像出力レベルを維持しつつ、前記撮像素子に照射される光量を制御するためのシャッタ速度を変更して前記撮像素子の出力を取得し、前記シャッタ速度の変更の前後の前記撮像素子の出力を比較することで行われることを特徴とするカメラ。
【請求項７】
被写体像を撮像し、撮像信号を出力する撮像素子と、
前記撮像素子の出力を画像データに変換する変換手段と、
前記画像データを表示する表示手段と、
前記撮像素子の出力に基づいて被写体輝度情報を取得して出力する被写体輝度取得手段と、
前記被写体輝度取得手段により得られた前記被写体輝度情報から、前記撮像素子の出力信号レベルを所定の出力信号レベルに設定するために、電子シャッタにより前記撮像素子に入射する光量を制御するとともに前記撮像素子の感度を制御する露出制御手段と、
を有するカメラにおいて、
前記露出制御手段が、前記被写体輝度取得手段の出力する前記被写体輝度情報に基づく被写体輝度の変化量が所定量を越えたと判定し、かつ、前記露出制御手段により制御された前記撮像素子の前記電子シャッタと前記感度による前記撮像素子の前記出力信号レベルと、前記撮像素子の所定の前記出力信号レベルとの差が所定値以下と判定する場合に、
前記露出制御手段は、前記電子シャッタのシャッタ速度を変更するとともに、前記撮像素子の所定の前記出力信号レベルを維持するように前記感度を変更して前記撮像素子の出力を取得し、前記シャッタ速度を変更する前に取得した前記撮像素子の出力と、前記シャッタ速度を変更した後に取得した前記撮像素子の出力に基づいてフリッカを検出する
ことを特徴とするカメラ。
【請求項８】
請求項７に記載のカメラにおいて、
前記露出制御手段が、前記被写体輝度取得手段の出力する前記被写体輝度情報に基づく前記被写体輝度の変化量が所定量を越えていないと判定する場合に、
前記露出制御手段は、前記電子シャッタの前記シャッタ速度を変更するとともに、前記撮像素子の所定の前記出力信号レベルを維持するように前記撮像素子の感度を変更して前記撮像素子の出力を取得し、前記シャッタ速度を変更する前に取得した前記撮像素子の出力と、前記シャッタ速度を変更した後に取得した前記撮像素子の出力に基づいて前記フリッカを検出するとともに、
前記変換手段は、前記シャッタ速度を変更する前に前記撮像素子の出力より取得した複数の前記画像データを合成して合成画像データを作成し、前記合成画像データを前記表示手段に表示を実行させる
ことを特徴とするカメラ。
【手続補正２】
【補正対象書類名】明細書
【補正対象項目名】００３３
【補正方法】変更
【補正の内容】
【００３３】
本発明の第１の観点は、撮像素子から繰り返し出力される被写体の画像を繰り返し可視化して表示させることが可能な表示手段を具備したカメラの制御方法であって、
前記被写体の輝度を検出する第１ステップと、
前記被写体の輝度から、所望の撮像出力を得るために前記撮像素子に照射される光量と前記撮像素子の感度を制御する露出制御値を演算する第２ステップと、
周期的なフリッカ検出の実行タイミングを待つ第３ステップと、
前記被写体の輝度変動が所定の値以上の第１条件のときに、かつ前記露出制御値が安定した第２条件のときに、前記フリッカ検出を実行する第４ステップと、
を含むカメラの制御方法を提供する。
【手続補正３】
【補正対象書類名】明細書
【補正対象項目名】００３４
【補正方法】変更
【補正の内容】
【００３４】
本発明の第２の観点は、撮像素子から繰り返し出力される被写体の画像を繰り返し可視化して表示させることが可能な表示手段を具備したカメラの制御方法であって、
前記被写体の輝度を検出する第１ステップと、
前記被写体の輝度から、所望の撮像出力を得るために前記撮像素子に照射される光量と前記撮像素子の感度を制御する露出制御値を演算する第２ステップと、
周期的なフリッカ検出の実行タイミングを待つ第３ステップと、
前記被写体の輝度変動が所定の値以上の第１条件が不成立のときに、時系列に連続して前記撮像素子から出力される複数の前記画像を合成して前記表示手段に表示しながら、前記フリッカ検出を実行する第４ステップと、
を含むカメラの制御方法を提供する。
本発明の第３の観点は、被写体からの光を検出する撮像素子と、
前記撮像素子の撮像出力を画像に変換する画像処理手段と、
前記画像を可視化して表示する表示手段と、
前記撮像出力から、前記被写体の被写体輝度を取得する輝度検出手段と、
前記被写体輝度から、所望の前記撮像出力を得るために前記撮像素子に照射される光量と前記撮像素子の感度に基づく露出制御値を制御する露出制御手段と、
前記被写体の輝度変動を判別する第１機能と、周期的なフリッカ検出の実行タイミングを待つ第２機能と、前記輝度変動が所定の値以上の第１条件のときに、かつ前記露出制御値が安定した第２条件のときに、前記フリッカ検出を実行する第３機能とを具備した制御手段と、
を具備するカメラを提供する。
本発明の第４の観点は、被写体からの光を検出する撮像素子と、
前記撮像素子の撮像出力を画像に変換する画像処理手段と、
前記画像を可視化して表示する表示手段と、
前記撮像出力から、前記被写体の被写体輝度を取得する輝度検出手段と、
前記被写体輝度から、所望の前記撮像出力を得るために前記撮像素子に照射される光量と前記撮像素子の感度に基づく露出制御値を制御する露出制御手段と、
前記被写体の輝度変動を判別する第１機能と、周期的なフリッカ検出の実行タイミングを待つ第２機能と、前記輝度変動が所定の値以上の第１条件が不成立のときに、時系列に連続して前記撮像素子から出力される複数の前記画像を合成して前記表示手段に表示しながら、前記フリッカ検出を実行する第３機能とを具備した制御手段と、
を具備するカメラを提供する。
本発明の第５の観点は、被写体像を撮像し、撮像信号を出力する撮像素子と、
前記撮像素子の出力を画像データに変換する変換手段と、
前記画像データを表示する表示手段と、
前記撮像素子の出力に基づいて被写体輝度情報を取得して出力する被写体輝度取得手段と、
前記被写体輝度取得手段により得られた前記被写体輝度情報から、前記撮像素子の出力信号レベルを所定の出力信号レベルに設定するために、電子シャッタにより前記撮像素子に入射する光量を制御するとともに前記撮像素子の感度を制御する露出制御手段と、
を有するカメラにおいて、
前記露出制御手段が、前記被写体輝度取得手段の出力する前記被写体輝度情報に基づく被写体輝度の変化量が所定量を越えたと判定し、かつ、前記露出制御手段により制御された前記撮像素子の前記電子シャッタと前記感度による前記撮像素子の前記出力信号レベルと、前記撮像素子の所定の前記出力信号レベルとの差が所定値以下と判定する場合に、
前記露出制御手段は、前記電子シャッタのシャッタ速度を変更するとともに、前記撮像素子の所定の前記出力信号レベルを維持するように前記感度を変更して前記撮像素子の出力を取得し、前記シャッタ速度を変更する前に取得した前記撮像素子の出力と、前記シャッタ速度を変更した後に取得した前記撮像素子の出力に基づいてフリッカを検出する
カメラを提供する。